【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
液体吐出装置に装着される液体収容容器であって、
液体収容部と、
第１面と、
前記第１面と対向する第２面と、
前記第１面及び前記第２面と交わる第３面と、
前記第３面と対向する第４面と、
前記第１面、前記第２面、前記第３面及び前記第４面と交わる、第５面と第６面と、
前記第１面に設けられ、前記液体収容部と連通して前記液体吐出装置に前記液体を供給する液体供給部と、
前記第１面に設けられた容器側係合部と、
前記液体供給部の開口を塞ぐとともに、前記液体収容容器に着脱自在に取り付けられるカバーと、
を備え、
前記容器側係合部は、前記第６面側が開口し前記第６面から前記第５面に向かう方向の凹部である複数の容器側係止部を有し、
前記カバーは、前記複数の容器側係止部の間に受け入れられるとともに前記液体収容容器との位置を決める位置決め部と、前記カバーが前記液体収容容器に装着された状態において前記複数の容器側係止部に対応する位置に配置され、前記第６面から前記第５面に向かう方向に突出する凸部と、を有し、
前記位置決め部は、前記凸部に比べて、前記第６面から前記第５面に向かう方向に、より長く突出し、
前記複数の容器側係止部の間は、前記カバーが前記液体収容容器に装着されていない状態において前記第２面から前記第１面に向かう方向に開放されている、液体収容容器。
【請求項２】
請求項１に記載の液体収容容器において、
前記カバーは、係合孔が形成されたレバーを備え、
前記第５面は、前記カバーが前記液体収容容器に装着された状態において、前記係合孔に挿入される突起状の係止部を有し、
前記液体吐出装置が備えるホルダーには、前記カバーが取り外された前記液体収容容器が前記ホルダーに装着された状態において、前記係止部が挿入される係止孔が形成されている、液体収容容器。
【請求項３】
請求項２に記載の液体収容容器において、
前記液体収容容器には大気導入口が形成されており、
前記液体供給部には、
前記液体吐出装置に前記液体を流出させる液体流出部と、
前記大気導入口と連通する連通口と、が形成されており、
前記連通口と前記レバーとは、前記液体流出部よりも前記第５面側に位置する、
液体収容容器。
【請求項４】
請求項１から請求項３までのいずれか一項に記載の液体収容容器において、
前記カバーは、前記液体収容容器に着脱自在に取り付けられるキャップである、液体収容容器。
【手続補正２】
【補正対象書類名】明細書
【補正対象項目名】０００５
【補正方法】変更
【補正の内容】
【０００５】
本発明は、上述の課題の少なくとも一部を解決するためになされたものであり、以下の形態として実現することが可能である。
本発明の一形態によれば、液体吐出装置に装着される液体収容容器が提供される。この液体収容容器は、液体収容部と；第１面と；前記第１面と対向する第２面と；前記第１面及び前記第２面と交わる第３面と；前記第３面と対向する第４面と；前記第１面、前記第２面、前記第３面及び前記第４面と交わる、第５面と第６面と；前記第１面に設けられ、前記液体収容部と連通して前記液体吐出装置に前記液体を供給する液体供給部と；前記第１面に設けられた容器側係合部と；前記液体供給部の開口を塞ぐとともに、前記液体収容容器に着脱自在に取り付けられるカバーと；を備え、前記容器側係合部は、前記第６面側が開口し前記第６面から前記第５面に向かう方向の凹部である複数の容器側係止部を有し；前記カバーは、前記複数の容器側係止部の間に受け入れられるとともに前記液体収容容器との位置を決める位置決め部と、前記カバーが前記液体収容容器に装着された状態において前記複数の容器側係止部に対応する位置に配置され、前記第６面から前記第５面に向かう方向に突出する凸部と、を有し；前記位置決め部は、前記凸部に比べて、前記第６面から前記第５面に向かう方向に、より長く突出し；前記複数の容器側係止部の間は、前記カバーが前記液体収容容器に装着されていない状態において前記第２面から前記第１面に向かう方向に開放されている。
【手続補正３】
【補正対象書類名】明細書
【補正対象項目名】００８３
【補正方法】変更
【補正の内容】
【００８３】
上述したキャップ７０は、請求項におけるカバーおよびキャップに相当する。また、挿入片７１ａは請求項における位置決め部に、第１容器係止部３３１は請求項における容器側係止部に、第１突起部７１ｂは請求項における凸部に、容器側第１係合部３３０は請求項における容器側係合部に、第２係止部２２１は請求項における係止部に、それぞれ相当する。
【手続補正４】
【補正対象書類名】明細書
【補正対象項目名】０１２２
【補正方法】変更
【補正の内容】
【０１２２】
一対の壁部８００は、いずれも、土台部７５と接続する端部とは反対の端部（＋Ｚ軸方向の端部）において、第３係合部８０１を備えている。第３係合部８０１は、断面視（＋Ｘ軸方向又は−Ｘ軸方向に見て）略三角形の形状を有している。第３係合部８０１の厚さ（Ｙ軸方向の長さ）は、壁部８００の厚さに比べて大きい（長い）。このような構成により、図３１に示すように、キャップ７０ｄがカートリッジ２０に装着された状態において、第３係合部８０１は、第２面２０２に係合（接触）する。したがって、カートリッジ２０は、キャップ７０ｄにより上下方向に保持（挟持）される。
【手続補正５】
【補正対象書類名】明細書
【補正対象項目名】０１２９
【補正方法】変更
【補正の内容】
【０１２９】
図３７に示すように、第４面２０４と接する側の挟持部８５４は、立位部８５０ａとの接続箇所を基準として、第４面２０４に形成された肉盗み２１６を＋Ｘ軸方向に超えて第４面２０４と接している。換言すると、挟持部８５４のＸ軸方向の長さは、第５面２０５から肉盗み２１６の＋Ｘ軸方向の端部までの長さよりも長い。挟持部８５４の＋Ｘ軸方向の端部が肉盗み２１６に配置されると、一対の挟持部８５４によるカートリッジ２０の保持力（挟持力）が弱くなる。そこで、第５実施形態では、挟持部８５４が肉盗み２１６を超えて配置されるように構成することで、一対の挟持部８５４によりカートリッジ２０の保持力（挟持力）を向上させている。
【手続補正６】
【補正対象書類名】明細書
【補正対象項目名】０１３４
【補正方法】変更
【補正の内容】
【０１３４】
ここで、挟持部８５６ａは、第４面２０４と対向する面に突出部８５７を備えている。突出部８５７は、挟持部８５６ａにおける第４面２０４と対向する面において、＋Ｙ軸方向に延設されている。突出部８５７は、肉盗み２１６に挿入されている。これにより、第４面２０４において、第５面２０５寄りの周縁部に形成されたリブ（肉盗み２１６と第５面２０５との間の部分）は、突出部８５７と立位部８５０ａとにより挟持される。これにより、キャップ７０ｇのＸ軸方向の位置決めが実行される。加えて、一対の挟持部８５６によりカートリッジ２０が挟持されるので、第５実施形態のキャップ７０ｆと同様に、キャップ７０ｇのＹ軸方向の位置決めが実行される。
【手続補正７】
【補正対象書類名】明細書
【補正対象項目名】０１４１
【補正方法】変更
【補正の内容】
【０１４１】
なお、図示は省略するが、上述した第７実施例のキャップ７０ｈは、複数の液体供給部２８０を有するカートリッジにも適用するように変形してもよい。